【手続補正書】
【提出日】平成31年1月23日(2019.1.23)
【手続補正１】
【補正対象書類名】特許請求の範囲
【補正対象項目名】全文
【補正方法】変更
【補正の内容】
【特許請求の範囲】
【請求項１】
ビットストリームからカラー・ピクチャを復号する方法において、
ビットストリームから取得される輝度（Ｌ’）成分と色度（Ｕ’，Ｖ’）成分とを線形結合することによって、最終輝度成分（Ｌ）を取得することと、
第１の成分（Ｙ）のダイナミックが前記最終輝度成分（Ｌ）のダイナミックと比較して増加するように、前記最終輝度成分（Ｌ）に対して非線形的ダイナミック拡張関数を適用することによって、前記第１の成分（Ｙ）を取得することと、
前記ビットストリームから取得された乗算ファクタ（β’）を前記第１の成分の平方根で除算することによって、正規化された乗算ファクタ（β’Y）を取得することと、
前記色度成分（Ｕ’，Ｖ’）および前記第１の成分（Ｙ）から、復号されるカラー・ピクチャの少なくとも１つの色成分（ＲＧＢＨＤＲ）を復元することであって、
前記色度成分（Ｕ’，Ｖ’）に前記正規化された乗算ファクタ（β’Y）を乗算することによって、中間色度成分
2018507620.tif 000001
を取得することと、
前記中間色度成分
2018507620.tif 000002
の平方、前記２つの中間色度成分
2018507620.tif 000003
の積、および色変換行列（Ｃ）から、少なくとも１つの中間色成分
2018507620.tif 000004
を取得することと、
前記少なくとも１つの中間色成分
2018507620.tif 000005
の１つで前記第１の成分（Ｙ）の平方根の積を二乗することによって、前記復号されたカラー・ピクチャの少なくとも１つの色成分（ＲＧＢＨＤＲ）を算出することと、
によって行われる、前記復元することと、
を含むことを特徴とする、前記方法。
【請求項２】
前記少なくとも１つの中間色成分
2018507620.tif 000006
は、
少なくとも前記２つの中間色度成分
2018507620.tif 000007
の平方と、前記２つの中間色度成分
2018507620.tif 000008
の積との重み付けされた線形結合の平方根を算出することによって、第２の成分
2018507620.tif 000009
を取得することによって取得され、
前記少なくとも１つの中間色成分
2018507620.tif 000010
は、前記第２の成分および前記２つの中間色度成分
2018507620.tif 000011
に前記色変換行列（Ｃ）を乗算することによって取得される、請求項１に記載の方法。
【請求項３】
前記少なくとも１つの中間色成分
2018507620.tif 000012
は、
前記２つの中間色度成分
2018507620.tif 000013
の平方と前記２つの中間色度成分
2018507620.tif 000014
の積との重み付けされた線形結合
2018507620.tif 000015
を算出することと、
重み付けされた線形結合
2018507620.tif 000016
が正またはｎｕｌｌ値であるかどうかをチェックすることと、
重み付けされた線形結合
2018507620.tif 000017
が正またはｎｕｌｌ値である場合には、
ｕｎｉｔｙ値と前記重み付けされた線形結合との合計値の平方根を算出することによって、第２の成分
2018507620.tif 000018
を取得することと、
前記第２の成分および前記２つの中間色度成分
2018507620.tif 000019
に前記色変換行列（Ｃ）を乗算することと、によって取得され、
重み付けされた線形結合
2018507620.tif 000020
が正またはｎｕｌｌ値でない場合には、
第２の成分
2018507620.tif 000021
を前記ｎｕｌｌ値に設定することと、
前記２つの中間色度成分
2018507620.tif 000022
を前記重み付けされた線形結合
2018507620.tif 000023
の平方根で除算することと、
前記第２の成分および一度除算された前記２つの中間色度成分
2018507620.tif 000024
に前記色変換行列（Ｃ）を乗算することと、によって取得される、
請求項１に記載の方法。
【請求項４】
前記非線形ダイナミック拡張関数は、前記カラー・ピクチャを符号化する際に取得された元の輝度成分に対して適用されたダイナミック減少関数の逆関数であり、前記第１の成分によって求められる前記値は、前記元の輝度成分と等しい、請求項１〜３のいずれか１項に記載の方法。
【請求項５】
前記正規化された乗算ファクタ（β’Y）は、前記元の輝度成分から取得されるバックライト値にさらに依存する、請求項１〜４のいずれか１項に記載の方法。
【請求項６】
前記第２の成分は、ルックアップ・テーブルを用いて求められる、請求項２〜５のいずれか１項に記載の方法。
【請求項７】
ビットストリームからカラー・ピクチャを復号する装置において、
ビットストリームから取得される輝度成分と色度成分とを線形結合することによって、最終輝度成分を取得することと、
第１の成分のダイナミックが前記最終輝度成分のダイナミックと比較して増加するように、前記最終輝度成分に対して非線形ダイナミック拡張関数を適用することによって、前記第１の成分を取得することと、
前記ビットストリームから取得された乗算ファクタ（β’）を前記第１の成分の平方根で除算することによって、正規化された乗算ファクタを取得することと、
前記色度成分および前記第１の成分から、復号されるカラー・ピクチャの少なくとも１つの色成分を復元することであって、
前記色度成分（Ｕ’，Ｖ’）に前記正規化された乗算ファクタ（β’Y）を乗算することによって中間色度成分
2018507620.tif 000025
を取得することと、
前記中間色度成分
2018507620.tif 000026
の平方、前記２つの中間色度成分
2018507620.tif 000027
の積、および色変換行列（Ｃ）から、少なくとも１つの中間色成分
2018507620.tif 000028
を取得することと、
前記少なくとも１つの中間色成分
2018507620.tif 000029
の１つで前記第１の成分（Ｙ）の平方根の積を二乗することによって、前記復号されたカラー・ピクチャの少なくとも１つの色成分（ＲＧＢＨＤＲ）を算出することと、
によって行われる、前記復元することと、
を行うように構成されているプロセッサを含むことを特徴とする、前記装置。
【請求項８】
前記少なくとも１つの中間色成分
2018507620.tif 000030
は、
少なくとも前記２つの中間色度成分
2018507620.tif 000031
の平方と、前記２つの中間色度成分
2018507620.tif 000032
の積との重み付けされた線形結合の平方根を算出することによって、第２の成分
2018507620.tif 000033
を取得することによって、取得され、
前記少なくとも１つの中間色成分
2018507620.tif 000034
は、前記第２の成分および前記２つの中間色度成分
2018507620.tif 000035
に前記色変換行列（Ｃ）を乗算することによって取得される、請求項７に記載の装置。
【請求項９】
前記少なくとも１つの中間色成分
2018507620.tif 000036
は、
前記２つの中間色度成分
2018507620.tif 000037
の平方と前記２つの中間色度成分
2018507620.tif 000038
の積との重み付けされた線形結合
2018507620.tif 000039
を算出することと、
重み付けされた線形結合
2018507620.tif 000040
が正またはｎｕｌｌ値であるかどうかをチェックすることと、
重み付けされた線形結合
2018507620.tif 000041
が正またはｎｕｌｌ値である場合には、
ｕｎｉｔｙ値と前記重み付けされた線形結合との合計値の平方根を算出することによって、第２の成分
2018507620.tif 000042
を取得することと、
前記第２の成分および前記２つの中間色度成分
2018507620.tif 000043
に前記色変換行列（Ｃ）を乗算することと、によって取得され、
重み付けされた線形結合
2018507620.tif 000044
が正またはｎｕｌｌ値でない場合には、
第２の成分
2018507620.tif 000045
を前記ｎｕｌｌ値に設定することと、
前記２つの中間色度成分
2018507620.tif 000046
を前記重み付けされた線形結合
2018507620.tif 000047
の平方根で除算することと、
前記第２の成分および一度除算された前記２つの中間色度成分
2018507620.tif 000048
に前記色変換行列（Ｃ）を乗算することと、によって取得される、
請求項７に記載の装置。
【請求項１０】
前記非線形ダイナミック拡張関数は、前記カラー・ピクチャを符号化する際に取得された元の輝度成分に対して適用されたダイナミック減少関数の逆関数であり、前記第１の成分によって求められる前記値は、前記元の輝度成分と等しい、請求項７〜９のいずれか１項に記載の装置。
【請求項１１】
前記正規化された乗算ファクタ（β’Y）は、前記元の輝度成分から取得されるバックライト値にさらに依存する、請求項７〜１０のいずれか１項に記載の装置。
【請求項１２】
前記第２の成分は、ルックアップ・テーブルを用いて求められる、請求項８〜１１のいずれか１項に記載の装置。
【請求項１３】
請求項１に記載の方法のステップをコンピュータに実行させるプログラム。
【請求項１４】
少なくとも請求項１に記載の方法のステップをプロセッサに実行させる命令を記憶した、プロセッサ可読媒体。
【請求項１５】
プログラムがコンピュータ上で実行されたときに請求項１〜６のいずれか１項に記載の方法のステップを実行するプログラム・コードを担持する、非一時的記憶媒体。
【手続補正２】
【補正対象書類名】明細書
【補正対象項目名】０１１０
【補正方法】変更
【補正の内容】
【０１１０】
幾つかの実施態様について説明を行った。しかしながら、様々な改変を施すことができることが理解できよう。例えば、複数の異なる実施態様を組み合わせたり、補ったり、変更したり、除去したりすることで他の実施態様を生み出すことができる。さらに、当業者であれば、開示した内容を他の構造や処理で置き換えることができ、結果として得られる実施態様が、少なくとも実質的に同一の方法で、少なくとも実質的に同一の機能を実行し、少なくとも開示した実施態様と実質的に同一の効果を生み出すことが理解できよう。したがって、本願によってこれらの実施態様およびその他の実施態様が企図される。
上記実施形態の一部又は全部は、以下の付記のようにも記載されうるが、以下には限られない。
（付記１）
ビットストリームからカラー・ピクチャを復号する方法において、
前記ビットストリームから取得された輝度成分に対して非線形ダイナミック拡張関数を適用することによって、拡張されたレンジの輝度を第１の成分として取得することであって、前記非線形ダイナミック拡張関数は、前記カラー・ピクチャを符号化する際に取得された元の輝度成分に適用されたダイナミック減少関数の逆関数に依存して求められる、該取得することと、
前記第１の成分によって求められる値と、前記ビットストリームから取得された２つの色度成分を乗算した積および前記２つの色度成分の平方値の線形結合Ｔとして算出される別の値との差分の平方根を算出することによって、第２の成分Ｓを取得することと、
前記少なくとも１つの色成分を前記第２の成分および前記２つの色度成分の線形結合として求めることによって、少なくとも前記第２の成分Ｓおよび前記２つの色度成分から、復号される前記カラー・ピクチャの少なくとも１つの色成分を取得することと、
を含むことを特徴とする、前記方法。
（付記２）
前記第２の成分Ｓは、前記第１の成分によって求められる値が前記線形結合以上である場合のみ、前記第１の成分によって求められる値と前記線形結合Ｔとの前記差分の前記平方根を算出することによって取得され、
前記第１の成分によって求められる値が前記線形結合以上でない場合には、前記第２の成分は零に設定され、前記２つの色度成分は共通のファクタＦによって乗算される、付記１に記載の方法。
（付記３）
前記共通のファクタＦは、前記線形結合の平方根に対する前記第１の成分の比である、付記２に記載の方法。
（付記４）
前記共通のファクタＦは、前記線形結合の平方根の逆数である、付記２に記載の方法。
（付記５）
前記非線形ダイナミック拡張関数は、前記カラー・ピクチャを符号化する際に取得された元の輝度成分に対して適用されたダイナミック減少関数の逆関数であり、前記第１の成分によって求められる前記値は、前記元の輝度成分と等しい、付記２または３に記載の方法。
（付記６）
前記非線形ダイナミック拡張関数は、前記カラー・ピクチャを符号化する際に取得された元の輝度成分に対して適用されたダイナミック減少関数の逆関数の平方根であり、
前記第１の成分によって求められる前記値は１であり、
前記復号される前記カラー・ピクチャの少なくとも１つの色成分を取得することは、前記少なくとも１つの色成分に前記第１の成分を乗算することを含む、付記１または４に記載の方法。
（付記７）
前記２つの色度成分を取得することは、前記第１の成分に依存するファクタによって前記２つの色度成分の各々をスケール化することを含む、付記６に記載の方法。
（付記８）
前記スケール化することは、前記線形結合Ｔを求める前に前記第１の成分によって前記２つの色度成分を除算することを含む、付記７に記載の方法。
（付記９）
前記ファクタは、前記元の輝度成分から取得されるバックライト値にさらに依存する、付記７または８に記載の方法。
（付記１０）
前記第２の成分は、ルックアップ・テーブルを用いて求められる、付記６〜９のいずれか１に記載の方法。
（付記１１）
ビットストリームからカラー・ピクチャを復号する装置において、
前記ビットストリームから取得された輝度成分に対して非線形ダイナミック拡張関数を適用することによって、拡張されたレンジの輝度を第１の成分として取得することであって、前記非線形ダイナミック拡張関数は、前記カラー・ピクチャを符号化する際に取得された元の輝度成分に適用されたダイナミック減少関数の逆関数に依存して求められる、該取得することと、
前記第１の成分によって求められる値と、前記ビットストリームから取得された２つの色度成分を乗算した積および前記２つの色度成分の平方値の線形結合Ｔとして算出される別の値との差分の平方根を算出することによって、第２の成分Ｓを取得することと、
前記少なくとも１つの色成分を前記第２の成分および前記２つの色度成分の線形結合として求めることによって、少なくとも前記第２の成分Ｓおよび前記２つの色度成分から、復号されるカラー・ピクチャの少なくとも１つの色成分を取得することと、
を行うように構成されているプロセッサを含むことを特徴とする、前記装置。
（付記１２）
プログラムがコンピュータ上で実行されたときに付記１に記載の方法のステップを実行するプログラム・コード命令を含む、コンピュータ・プログラム製品。
（付記１３）
少なくとも付記１に記載の方法のステップをプロセッサに実行させる命令を記憶した、プロセッサ可読媒体。
（付記１４）
プログラムがコンピュータ上で実行されたときに付記１〜１１のいずれか１に記載の方法のステップを実行するプログラム・コードを担持する、非一時的記憶媒体。